(57)【要約】【課題】消費者の詰め替え、付け替え両用途に向けたパウチの手間の軽減と洗剤メーカーの生産性への配慮がなされたパッケージ形態を可能とする事。【解決手段】包装資材、生産設備のトータルコスト軽減を可能とする為、使用実績が一般的な底ガゼットパウチを利用し、一体成型からなるスパウトとの組み合わせで、封緘性、転倒防止性、こぼれ防止性を可能として且つ、消費者に手間を掛けず、コストの安い経済的な詰め替えパウチの提供を可能とする事に有る。【選択図】図１
2020093807.tif 000002
【特許請求の範囲】
【請求項１】
パウチ用のスパウトで、スパウトには密閉蓋を備え、スパウトに容器を挿入したときに、容器詰め替え口が当該密閉蓋を突き破って内容液が容器に充填されるような封緘性を有した事を特徴とするスパウトを備えたパウチ。
【請求項２】
前記パウチ用スパウト円筒部周辺は、中心付近より薄くして破れやすいようにする様、部分的に厚薄構成にした密閉蓋を有する事を特徴とした請求項１に記載のスパウトを備えたパウチ。
【請求項３】
前記密閉蓋の非液面側一部に突起部を備え、容器を挿入したときに、詰め替え口が当該突起部に先に当たり、密閉蓋が破れるようにしたことを特徴とする請求項１又は請求項２、請求項３に記載のスパウトを備えたパウチ。
【請求項４】
前記密閉蓋は、スパウト円筒状内壁に対し傾斜していることを特徴とする請求項１もしくは請求項２、請求項３に記載のスパウトを備えたパウチ。
【請求項５】
前記パウチ用スパウトにはフランジ部を備えその下部に、カートリッジへの取り付け用凹凸部を有し、スパウトと抽出用ポンプとつなぎ合わせるネジ部を有したジョイント治具でパウチ、ポンプ、容器を一体化させる事によりパウチが詰め替え、付け替え両用途を兼用可能とする事を特徴とした請求項１、請求項２、請求項３、請求工４に記載のパウチ。
【請求項６】
前記ジョイント治具は筒状で外面上下にパウチスパウト、抽出用ポンプそれぞれの内径ネジ部に合わせた嵌合用ネジが成型されたプラスチック製治具。
【発明の詳細な説明】
【技術分野】
【０００１】
本発明は、液体洗剤容器への詰め替え目的のフィルム製パウチにおいて、少ない手間で詰め替え・付け替えの両仕様が簡便な操作で的確に可能な形態のパウチの提供に有る。
【背景技術】
【０００２】
シャンプーやリンスや台所用洗剤等を代表とする液体洗剤他の詰め替え用容器は、ラミネートフィルムからなるガゼット製袋パウチが主流と成って居る。現行品は使用時に消費者が容易に詰め替え行為が出来る様にパウチ上部に成形品からなるスパウトを接着加工した形状品や、底ガゼットタイプのパウチの上部にフィルム自身を詰め替えが便利な特殊形状にカットした物等々、注ぎ口に工夫が凝らされている物が多く出願、発売されている。しかしそれらの現行品は内溶液の詰め替えが終了するまで手を添えて居なければいかないものが大半で、詰め替え対象ボトルとのセット開始から、詰め替え対象容器からパウチ口部が外れて内容液が垂れない様に注意が必要と成る点を含め、粘性が高い濃縮洗剤類は、最後まで注ぎ込むのに注意と時間と多少の労力を要するのが現状である。又、その労力削減目的のパウチに直接、内容液抽出用ポンプを差し入れ、別置きのカートリッジに付け替える方式の形態の物は現在あまり普及して居ないし、その兼用パウチの事例も少ない。
【先行技術文献】
【特許文献】
【０００３】
【特許文献１】特願２０１４−１２６１７５
【特許文献２】特開２０１６−３０５６
【特許文献３】特願２０１８−０２４４４０
【特許文献４】特願２０１７−１７８３２５
【発明の概要】
【発明が解決しようとする課題】
【０００４】
先出願された各種の技法も詰め替え口部に関する物が主でキャップ形式、フィルム形状等の工夫がそれらであるが、現行品は詰め替え作業時に、何らかの方法で開栓、開封したパウチを対象ボトル口部に、内容液が漏れないようにパウチの詰め替え口を差し込み、詰め替え対象ボトルと共に口部から抜けない様にまた、倒れない様に長時間手でパウチ本体を支えて居なければならない手間の問題がある。パウチに直接、抽出用ポンプを差し入れ別置きのカートリッジに付け替える方式対応も含め、悪戯防止の封緘機能も一般市販用製品に求められる重要機能であり本発明はそれらへの対応、解決を課題としている。
【課題を解決するための手段】
【０００５】
本発明は、詰め替えパウチ包材の主流形態である底ガゼット式パウチを使用する事で、充填メーカー側にある既存充填設備を活用する事を産業上の特徴として居る。底ガゼット式パウチのW形状の折りたたみ底襠部のフィルム中心部に穴を開け、詰め替え口と成るポリエチレン製のスパウトと接合した形状の詰め替え用パウチを作る。このスパウトには下部にパウチと接合させるフランジを有し、フランジ上部にカートリッジ取り付け用凹凸部を有し、スパウトに備わる円筒状口部の内部に周囲に薄肉部を有した密閉蓋を有し、円筒状口部内部側壁に詰め替え対象ボトル口部のネジ部と嵌合する形状のネジ形式突起部を有し、その先にキャップが備わった形状でそれらが同時成形された物である。キャップはネジ形式の別成形品でも良い
【０００６】
一般的に液体洗剤等詰め替えを行う際には（１）、対象と成るボトル側には中身が使用されて少ない状態で有る事より軽く倒れやすい状態と成って居る。（２）、パウチに使用されるフィルムは柔らかく内容液を支えるだけの腰を有していない（折れ込み易い）（３）、消費者段階での詰め替え作業時にはパウチ内で内溶液が揺れている場合も有り安定が難しい、（４）重量のバランス上、中心部でセットしないと倒れ易い、（５）漂白剤等内容液が手や衣服に付着しない詰め替え方が求められる。等の問題点がある。詰め替え用パウチとしての使用事例が多い底ガゼットタイプのスタンディングパウチの底部ガゼット部は１枚のフィルムで折りたたみ構成されている。本発明はガゼットパウチの折りたたみ底襠部フィルムのすり鉢状最底部中心に穴を開け、別に用意したスパウトとシールして一体化させる。本発明で考案したスパウトは、付け替え用途に使用する場合はスパウト部を上部にした状態でスパウトネジ部に抽出用ポンプを差し入れネジ部で勘合してカートリッジにセットする。
【０００７】
本発明は消費者が詰め替え時に対象ボトル上にスパウトのキャップを外したパウチを乗せ、パウチの下部に供えられたスパウト円筒部内にボトル口部をネジ入れて詰め替え行為を行う。その際スパウト内部に一体成型で供えられた隔壁部にボトル口部が当りネジで回転押し上げられるに従い、スパウト円筒部の密閉蓋との接合縁部円周状に作られた薄肉部が破れ、上部パウチ内の内溶液が流れ落ちる構造と成って居る。スパウト内密閉蓋は並行でも良いが、ボトル口部の回転押し圧で破れやすい様に予め斜めの形状、もしくはボトル接面側に部分的に点状もしくは線状に肉厚の厚い部分を構成させ押し圧が集中し密閉蓋の開口を助ける構造とする事を考案の特徴としている。同時に、付け替え用途への対応の場合にスパウトフランジ下に有る取り付け用凹凸部を別途用意してカートリッジ取り付け部分に差し込み吊り下げるような形で使用する兼用可能な形態としている事も特徴と成って居る。
【発明の効果】
【０００８】
本発明の液体の詰め替え用パウチの詰め替え作業を消費者が行う時、詰め替え対象ボトル上でパウチ側の底部よりスパウトのキャップを取り除き、スパウト筒状口部に詰め替え対象ボトル口部を差し込みながら乗せ込む。スパウト円筒部内面上部の密閉蓋をボトルが回転しながら押し破る構造で、消費者は従来の詰め替えパウチの場合の様に何らかの方法で開封したパウチをこぼれない様にボトル口部に入れると云う困難な作業が不要で、詰め替え用パウチ内の液体はスパウト内面に沿ってボトル内にこぼれる事無く移行され詰め替えが完了する。ボトルとパウチは互いのネジ部で勘合されボトル上で安定した状態を保つと共に、万が一倒れた場合も漏れる心配が無い構造で、この点が既存詰め替えパウチに無い本発明の特徴と成って居る。消費者は上記の動作で後は置いておくだけでスパウト部と容器側キャップ部との勘合により詰め替え作業が進行する点と、洗剤充填メーカーはパウチ供給メーカーより底部にあらかじめ本発明スパウトが供えられた物が納入され、底ガゼットパウチ用の従来の充填ライン設備で使用が可能と成る等双方の利点がある。底ガゼットタイプのパウチは底部用フィルム部材がすり鉢状の半円形となる事より備え付けられたスパウトはパウチ最下点と成る事より、内容液は開けられた密閉蓋部より自然に最後まで流れ出る事と成り、詰め替え容器として最適な構造と成っている。付け替え用途の場合は別成形のジョイント治具を使用し、ジョイント治具にスパウトの口部と抽出用ポンプネジ部を差し入れてカートリッジに付け替える事で使用可能と成る詰め替え、付け替えの両用途の兼用を目指した考案と成って居る。
【図面の簡単な説明】
【０００９】
【図１】本発明の詰め替えパウチ（a）  全体構成図（b）  スパウトの外観（c）  スパウトの断面
【図２】パウチ、ボトル合体図
【図３】詰め替え解説図
【図４】付け替え用途解説図
【発明を実施するための形態】
【００１０】
以下図面によって説明致します。
図１は本発明詰め替えパウチで、（a）は全体構成図でガッゼトパウチAは１枚のラミネートフィルム下方で断面がW形状に折りたたみ底襠部１を作って、折りたたまれたガゼット部中心に穴をあけてその開口穴にスパウトBを差し込み、取り付け仕様の際に活用する取り付け用凹凸部５を有するスパウトBは内部に備わった密閉蓋８が図１の場合は斜めの形状で成形された場合を表し、フランジ部と底襠部１でガッゼトパウチAと互いをシールして一体化して上部に開口充填部２を構成したガゼットパウチAを表して居る。（以下図面上の同一番号は又は符号は同一内容、同一仕様を表して居る）
【００１１】
図（b）は本発明のスパウト外観で、スパウトBはポリエチレン樹脂でフランジ部３と円筒部４、取り付け用凹凸部５、キャップ６が一体成形で構成されている。
【００１２】
図（c）はスパウト断面で、スパウトBのフランジ部３と円筒部４、取り付け用凹凸部５、キャップ６から構成されている。円筒部内壁面に円筒内ネジ部７と密閉蓋８と密閉蓋円周部分には周囲薄肉部９が同時成形されている。図（c）は密閉蓋８がスパウト円筒部内でフランジ部と平行に設置され密閉蓋の開口を容易にする目的の突起部１０を有した場合を表して居る。
【００１３】
図２はパウチ、ボトル合体図で、スパウトBと一体化され内部に液状洗剤が充填されたガゼットパウチAに詰め替え対象ボトルCのボトル口部１１をネジ入れて互いのネジ部で合体する工程を表す断面図と成って居る  
【００１４】
図３は本発明の詰め替え解説図で、消費者段階での詰め替え作業時を表している。詰め替え対象ボトルCの口外ネジ部とガゼットパウチAのスパウト内の円筒内ネジ部７とが嵌合し、詰め替え対象ボトルCを回転させることでスパウト円筒部内を上昇しボトル口部が密閉蓋８に当り、更に回転上昇させると周囲薄肉部９が突き上げられる事で破れられてパウチ内の液体がボトル内に流れ落ちる。スパウト内の円筒内ネジ部７とボトル口部１０のネジ部が勘合する事で互いが固定されてパウチはボトル上で安定した状態を作ると共に、また仮に倒れた場合も内容液が流れ出ない一体化と成る。円筒内にネジ部構造で無く消費者にスパウトフランジ部を持って押えて破り開ける方法を取って貰う方法も可能である。
【００１５】
図４は付け替え用途解説図で、ジョイント治具Fを使用して、スパウトB抽出用ポンプEのそれぞれのネジ部をネジ入れる事で一体化して、付け替え用容器Dに本発明ガゼットパウチAのスパウトの取り付け用凹凸部５を差し入れる事で使用可能と成る付け替え用途で使用する場合の工程で、本発明が詰め替えと付け替え両用途の兼用を可能にする事を表して居る。    
【産業上の利用可能性】
【００１６】
本発明の産業上利用の可能性は、詰め替えパウチ市場で一般的に使用されている底ガゼットタイプのパウチを使用する事で洗剤充填メーカー側に新規設備の必要性を排除し、消費者には安全確実で且つ簡便なセティング後、手放しで詰め替え作業を行う事を可能としたことに成る。現在の詰め替えパウチはパウチに加工された詰め替え口もしくはキャップを取ってボトルに詰め替え作業を行うが、ボトル口部へ装着時にこぼれたり、倒れたり手間と注意の居る作業であるが、本発明は開封前のパウチをボトル上にセット後にネジ入れる事で開封が開始する機構で、合体されたパウチはボトル上で最後まで固定、安定化され、老人子供にも扱い可能なこれまでにない容易な作業を消費者に提供する事等、メーカー、消費者両者への利便性を可能にしている。付け替え用途時にはスパウトBのフランジ部３と取り付け用凹凸部５の間にカートリッジの溝に差し入れパウチを吊り下げ円筒部４にポンプを差し入れ  密閉蓋８を破る方法を取る事で詰め替え、付け替え両用途に兼用可能なものと成って居る。
【符号の説明】
【００１７】
A    ガゼットパウチ
B    スパウト
C    詰め替え対象ボトル
D    付け替え用容器
E    抽出用ポンプ
F    ジョイント治具
１    折り畳み底襠部
２    開口充填部
３    フランジ部
４    円筒部
５    取り付け用凹凸部
６    キャップ
７    円筒内ネジ部
８    密閉蓋
９    周囲薄肉部
１０    突起部
１１    ボトル口部
【図１】
2020093807.tif 000003
【図２】
2020093807.tif 000004
【図３】
2020093807.tif 000005
【図４】
2020093807.tif 000006